(57)【特許請求の範囲】
【請求項１】
一端に釣糸取付部を有し他端に釣針取付部を有する金属ワイヤと、
前記金属ワイヤに摺動自在に挿通される第一錘と、
挿通孔を有し、前記挿通孔に前記金属ワイヤを挿通する第二錘と、
を備える釣用錘において、
前記釣針取付部は前記金属ワイヤを折り返して形成され、
前記折り返された金属ワイヤの折重なり部を前記挿通孔に嵌入して前記第二錘を前記釣針取付部に固定することを特徴とする釣用錘。
【請求項２】
前記第二錘に開けられた前記挿通孔は前記金属ワイヤの折重なり部が嵌入される第一孔部と、
前記第一孔部より径が小さい第二孔部とからなる請求項１に記載の釣用錘。
【請求項３】
前記第一錘および前記第二錘が金属製である請求項１又は請求項２に記載の釣用錘。
【請求項４】
前記第一錘の質量が前記第二錘の質量より大きい請求項１から請求項３のいずれかに記載の釣用錘。
【発明の詳細な説明】
【技術分野】
【０００１】
この発明は釣用錘に関し、より詳しくは集魚音を発生する釣用錘に関する。
【背景技術】
【０００２】
魚を釣るときに魚をおびき寄せる手段として集魚音を発生する方法が知られている。これは捕食性の魚が水のなかで振動や打音を感じたとき、獲物が近くにいると思いその音源に集まってくる性質を利用した方法である。特許文献１には中央に釣糸類を貫通させる中通し重りであって、重りを構成する素材の一部を釣糸類を貫通させる孔に交差する平面で切断して切り欠き面を作り、切り欠き面に隣接する物体の当接面と共働して集魚音発生効果を高めるための１つ又は複数の窪みを貫通孔と同軸に設けたことを特徴とする集魚効果音発生釣具が開示されている。
【特許文献１】特開平９−１６３８９８号公報（請求項８、段落００２５、図２２）
【発明の開示】
【発明が解決しようとする課題】
【０００３】
特許文献１の釣具では、釣糸を貫通させる中通し物と重りとを当てて集魚音を発生させている。しかし、中通し物にグラスビーズや金属を用いているため、使用中に釣糸がグラスビーズ等との摩擦により切れるという問題がある。
【０００４】
前記問題に鑑み、本発明は使用中に釣糸が切れることなく集魚音を発生させることができる釣用錘を提供することを課題とする。
【課題を解決するための手段】
【０００５】
前記課題を解決するための本発明の前提は、一端に釣糸取付部を有し他端に釣針取付部を有する金属ワイヤと、前記金属ワイヤに摺動自在に挿通される第一錘と、挿通孔を有し、前記挿通孔に前記金属ワイヤを挿通する第二錘と、を備える釣用錘である。前記前提における本発明の特徴は、前記釣針取付部は前記金属ワイヤを折り返して形成され、前記折り返された金属ワイヤの折重なり部を前記挿通孔に嵌入して前記第二錘を前記釣針取付部に固定することである。
【０００６】
本発明には、次のような好ましい実施態様がある。
（１）前記第二錘に開けられた前記挿通孔は前記金属ワイヤの折重なり部が嵌入される第一孔部と、前記第一孔部より径が小さく前記金属ワイヤが摺動自在に挿通される第二孔部とからなる。
（２）前記第一錘および前記第二錘が金属製である。
（３）前記第二錘の質量が前記第一錘の質量より大きい。
【発明の効果】
【０００７】
本発明の釣用錘は金属ワイヤに沿って摺動する第一錘を用いているので、使用中に釣糸が第一錘との摩擦により切れることが無い。また、第二錘が釣針取付部に固定されているので、確実に第一錘を第二錘に衝突させて集魚音を発生させることができる。
さらに、第二錘を釣針取付部に嵌入して固定する構成にすれば、簡易な構成で第二錘の固定と釣針取付部の固定を同時に行なうことができる。
【発明を実施するための最良の形態】
【０００８】
添付の図１〜図３を参照して本発明の釣用錘１について説明する。図１は釣用錘１の斜視図であり、図２は図１のＩＩ−ＩＩ部分断面図であり第二錘６を釣針取付部３から取り外した状態を表わしている。また、図３は第二錘６を釣針取付部３に取り付けたときの要部拡大断面図である。
図１に示すように、本発明の釣用錘１は一端に釣糸取付部２を有し他端に釣針１０を取付けるための釣針取付部３を有する直線状の金属ワイヤ４と、金属ワイヤ４に摺動自在に挿通される第一錘５と、金属ワイヤ４に挿通されて釣針取付部３に固定される第二錘６とを備えている。
【０００９】
釣用錘１を使用するときは、釣糸取付部２に釣糸（図示せず）を結び、釣針取付部３に釣針１０を取付けて水中に投入した後、釣竿あるいはリールを操作して矢印Ａ方向に緩急を付けて繰り返し引っ張る。この操作により第一錘５が釣針取付部３に固定されている第二錘６に繰り返し衝突して集魚音を発生する。
【００１０】
次に、釣用錘１の各部について説明する。金属ワイヤ４の一端にある釣糸取付部２は閉じた環状の形状であり、金属ワイヤ４を折り曲げた後捻り合わせて形成されている。金属ワイヤ４の他端にある釣針取付部３は開閉可能な環状の形状であり、金属ワイヤ４を折り返して環状部１１と折重なり部７ができるように形成される。この釣針取付部３には、釣針１０が針穴１４を介して交換可能に取付けられる。
なお、金属ワイヤ４の材質に特に制限はないが、ステンレスのように錆びにくく剛性の高い材料を用いることが好ましい。
【００１１】
図２は第一錘５と第二錘６の断面を示す部分断面図である。図２に示すように、第一錘５は貫通孔１２を有し、金属ワイヤ４をこの貫通孔１２に挿通することにより第一錘５が直線状の金属ワイヤ４に沿って自在に摺動する。このように釣糸ではなく金属ワイヤ４に沿って第一錘５が摺動するので、使用中に釣糸が錘との摩擦で切れることの無い集魚音発生用の釣用錘が提供される。さらに、直線状の金属ワイヤ４は釣糸より剛性が高く曲がりにくいので、釣糸の場合のように水中で丸まって第一錘５と第二錘６の衝突を妨げることは無い。
【００１２】
貫通孔１２の径は金属ワイヤ４より僅かに大きい。また、貫通孔１２の両端部は金属ワイヤ４に沿った自由な摺動が妨げられないよう面取りがされていることが好ましい。さらに、第一錘５の第二錘６に対向する面は、貫通孔１２の中心線を軸とする円柱とこの円柱より直径が小さい円錐とが組み合わされた形状の中空な部分の内面１６であり、この円柱と円錐との境界線１６ａが球形の第二錘６に当たるようになっている。
【００１３】
第二錘６の挿通孔１３は、金属ワイヤ４の折重なり部７が嵌入される第一孔部８と、第一孔部８より径が小さい第二孔部９とからなる。本実施形態では、挿通孔１３の第一孔部８の内径は金属ワイヤ４の直径の２倍より大きく、第二孔部９の内径は金属ワイヤ４の直径より大きいがその２倍よりは小さくなるように形成され、挿通孔１３内に段差部１７がある構造となっている。
【００１４】
次に図３を参照して、第二錘６の釣針取付部３に対する位置決め固定について説明する。図３は第二錘６を釣針取付部３に取り付けたときの第二錘６の内部の様子を表わす要部拡大断面図であり、釣針１０は省略している。
釣針取付部３では金属ワイヤ４を折り返して開閉可能な環状部１１が形成されている。環状部１１はバネ弾性を示し折重なり部７を拡げようとする。このため、図３に示すように釣針取付部３に釣針１０(図示せず)を取り付けて折重なり部７を第二錘６の第一孔部８に嵌入させると、折重なり部７の先端部７ａが第一孔部８の壁面に圧接する。そして、金属ワイヤ４の折重なり部７の先端部７ａが前記した挿通孔１３内の段差部１７に当接するか、あるいは第一孔部８の開孔部の周縁が釣針取付部３に当接することにより、第二錘６が釣針取付部３に対して位置決め固定される。
【００１５】
第一錘５と第二錘６の両方を金属ワイヤ４に摺動自在に挿通すると、両方が同じ方向に動きながら接触する場合もあるが、このような場合十分な集魚音が発生しない。しかし、本発明の釣用錘１では第二錘６を釣針取付部３に対して固定するので、より確実に第一錘５と第二錘６を衝突させて集魚音を発生させることができる。
また、第二錘６の第一孔部８を折重なり部７に嵌入させるという簡易な構成で、第二錘６の固定と釣針取付部３の固定を同時に行なうことができるとともに、釣針１０の交換を容易に行なうこともできる。
【００１６】
第二錘６の挿通孔１３は第一孔部８と、それより径が小さい第二孔部９からなり孔内に段差部１７を有するので、第一錘５が第二錘６に衝突したとき前記の段差部１７部に折重なり部７の先端部７ａが当たる構成とすれば、第二錘６の位置が釣針１０側にずれることが防止できる。
【００１７】
第一錘５と第二錘６の材質は特に限定されず、金属、セラミック、ガラス、樹脂等を適宜組み合わせて対象とする魚種に応じた集魚音を発生させることができる。第一錘５と第二錘６の材質を金属にすれば、集魚効果の高い集魚音が得られやすい。例えば真鍮を用いればブラックバスに対して集魚効果の高い釣用錘１が提供される。
【００１８】
また、自由に摺動する第一錘５の質量を、固定される第二錘６の質量よりも大きくすれば、より大きな集魚音を発生させることができる。さらに、第一錘５と第二錘６とを平面どうしで衝突させるのではなく、できるだけ点または線に近い小さな面にして衝突するときの力を一点に集中させれば集魚音を発生させ易くなる。本実施形態では第一錘５と第二錘６とが境界線で接触する場合を例に説明したが、球面と球面、あるいは平面と三角錐や円錐の頂点が接触する構成にすることもできる。
【００１９】
以上、本発明の釣用錘１について実施の形態に基づき説明したが、本発明はこれに限定されず適宜変更して実施することができる。
例えば、第一錘５が砲弾形状の場合を例に説明したが、第一錘５の形状はこれに限定されず円柱状等に変更してもよいし、集魚効果を高めるために中空部を設けたり、第一錘５の表面に突起を設けた構造にすることもできる。第二錘６の形状も球形に限定されず、円柱あるいは多面体等の形状にすることができる。また、釣針取付部３に疑似餌などを取付けて用いることもできる。
【図面の簡単な説明】
【００２０】
【図１】釣用錘の斜視図。
【図２】釣用錘の部分断面図。
【図３】第二錘を釣針取付部に取り付けたときの要部拡大断面図。
【符号の説明】
【００２１】
１    釣用錘
２    釣糸取付部
３    釣針取付部
４    金属ワイヤ
５    第一錘
６    第二錘
７    折重なり部
８    第一孔部
９    第二孔部
１３  挿通孔
【図１】
0004500275.tif 000002
【図２】
0004500275.tif 000003
【図３】
0004500275.tif 000004